(57)【要約】      （修正有）【課題】作業者が高所に昇る必要がなく、安全なポータブルサイロの吊り装置を提供する。【解決手段】サイロ２の頂部にサイドチェーン３１を取り付け、このサイドチェーンに繋ぎワイヤーを取り付ける。繋ぎワイヤーは取り付け・取り外し可能とする。サイロ２の最大径の直径の近辺であって、頂部に近い上部箇所と底部に近い下部箇所に両側に上吊りワイヤー９、下吊りワイヤー１０を設け、取り付け・取り外し可能とする。【選択図】図３
0003176251.tif 000002
【実用新案登録請求の範囲】
【請求項１】
サイロの頂部には最大径の直径の近辺の両側に頂部ピースを設け、この頂部のピースに取り付けるサイドチェーンと、
この両サイドチェーンに取り付け、取り外しする繋ぎワイヤーと、
前記サイドチェーンと繋ぎワイヤーとからなる頂部吊りチェーンと、
前記サイロの最大径の直径の近辺であって、頂部に近い上部箇所と底部に近い下部箇所の両側に設けた上側ピースと下側ピースと、
これら上側、下側ピースに取り付け・取り外し可能とした前記上吊りワイヤー、下吊りワイヤーとからなり、
サイロの直立、倒しのときに頂部吊りチェーンと、下吊りワイヤーを共に使って水平状態に仮置きした後は、前記繋ぎワイヤーは頂部吊りチェーンから取り外す一方、水平状態のサイロを運搬車に積載、降ろすときは、上側ピースに上吊りワイヤーを取りつけ、このワイヤーと前記下吊りワイヤーとで行い、これらワイヤーが取り外され、サイロが直立されたとき頂部の前記サイドチェーンは、サイロの頂部ピースに取り付けられた状態であることを特徴とするポータブルサイロの吊り装置。
【考案の詳細な説明】
【技術分野】
【０００１】    本考案は、セメント、フライアッシュ、石灰粉、無水石膏等の粉体等を貯蔵し、かつ計量して排出することのできるサイロであり、特に工事期間だけ現場に運搬設置し、工事後は撤去するポータブルサイロの吊り装置に関する。
【背景技術】
【０００２】  従来は特公平３−９０３６号公報に示されるように、セメント混合材を必要とする工事現場等においては、工事期間だけ現場に設置するセメントサイロが必要であり、そのためセメントサイロはトラックで運搬され現場で設置される。現場に運ばれたときは安定台を下にして横長の寝かされた形態で置かれた後、筒状のセメントサイロ頂部の大径突起の２箇所にワイヤーを引っ掛けクレーンで持ち上げ直立に起こすものである。
この従来例のものは、起立させて地切りさせる時、重心位置が狂っている場合サイロが大きく揺動し接触事故が起こる危険性が高い。また、起立させた後、サイロの頂部に昇りワイヤーを外すとき、作業者が転落する事故が頻繁に起こるという不具合があった。【０００３】  このほかに従来のものを以下に説明する。
（１）工事現場に据え付ける場合は、現場のクレーンに、横長に横たえられたサイロ本体の高さ２．５ｍの頂部に昇り、その近辺に設置されている、上下の２組の４点ピース（吊り用ワイヤーを取り付ける器具）にそれぞれ２本の上吊りワイヤー、下吊りワイヤーをクレーンフックに取り付け、運搬車から現場の地上に水平に吊り下ろす（図１参照）。
（２）サイロ本体を直立に起こすときは、横長胴体の状態で、円筒状端部の頂部に登りその近辺にある２箇所のピースに頂上吊りワイヤーを取り付け、かつ前記横長胴体頂部にある４点ピースのうち上側の２点のピースから上ワイヤーを取り外し、下ワイヤーは付けておく。クレーンで円筒状頂部の２か所と下ワイヤーの２点の４点吊で地切り（サイロ本体の下側の安定台が地上から約３０ｃｍ浮き上がった状態）してサイロ本体を安定させた後、サイロ頂部側を徐々に持ち上げ、直立した状態にし、吊り下げて鉄板上に設置する。そして８ｍの高さの直立したサイロ本体の頂部に作業者がはしごを使って昇り、ピースから頂上吊りワイヤーを外し、下吊りワイヤーは地上から外す。
（３）倒すとき、サイロの頂部にあるピースに頂上吊りワイヤーと下吊ワイヤーを固定し、クレーンで上方に吊り上げる。地切りで一時吊り動作を止め安定・安全を図る。徐々に下ワイヤーを引っ張りあげサイロ本体を傾けつつ倒しながら横水平状態にする。そして平坦地に水平状態で仮置きし、サイロ頂部のワイヤーを外し、横長胴体頂部の上側の２点のピースに上ワイヤーを取り付け、下ワイヤーと４点吊で再度水平に吊上げ運搬車に水平に置く。運搬するときはサイロに懸けられているすべてのワイヤーを外す。この方法では前述のサイロ頂部の２点吊の時のような揺動の危険は少ない。【０００４】  以上がポータブルサイロの現場での設置・撤去方法であるが、サイロ本体を倒して運搬車に乗せるとき、降ろすとき、またサイロ本体を起こすときも高所に昇る作業が付きまとい、ワイヤーの取り付け・取り外し作業はワイヤーが非常に重いので高所作業は高齢者にとっても危険であり、また雨天の作業のときはサイロの２．５ｍの頂部の横移動作業は足がすべり易く絶えず落下のよる事故の危険がある。【０００５】
【特許文献】  特公平３−９０３６号公報
【考案の概要】
【考案が解決しようとする課題】
【０００６】  本考案は、従来の不具合に鑑み、工事現場で運搬車から降ろし設置するとき、工事現場からセメントサイロを運搬車に載せるときに、作業者が一切サイロ本体に昇ることなく、クレーンへのワイヤー懸け・取り外しが行われ、作業者の安全を図ったポータブルサイロの吊上げ装置を提供することにある。
【課題を解決するための手段】
【０００７】  本考案は、サイロを横設置した状態で説明すると、円筒状のサイロ本体の直径の最大径の位置より少々離れた位置において、頂部側の左右両側に２点の上側ワイヤー取り付けピース（以下、上側ピース）、底部側に横方向に変位した位置に下側ワイヤー取り付けピース（｀以下、下側ピース）を地上から作業できる高さに設け、それぞれのピースに上下のクレーン用吊りワイヤーを取り付け、サイロ本体が横設置の状態での吊り下げ吊り上げができるようにする。サイロ本体の頂部のピースは、本体を利用して断面円状の外部に出ない構造で、直径最大径、または近辺に設ける。
【考案の効果】
【０００８】  本考案は、上述した手段により工事現場でのサイロの起こし・倒し、吊り上げ吊り下げが、作業者がサイロ本体に一切昇る必要がない構造としたので、ワイヤー懸け・外し作業のときの転落を防止できる。簡単な作業で作業者生命の安全を図ることができる。
【図面の簡単な説明】
【０００９】
【図１】従来例のサイロを倒す状態を簡単に説明する説明図
【図２】本考案に係る一実施例でサイロを倒すとき、起こすときの説明図
【図３】本考案に係る一実施例でサイロを水平状態に吊っている状態を説明する説明図
【図４】本考案に係る一実施例でサイロを起こす作業を説明する説明図
【図５】本考案に係る一実施例でサイロを直立させたときの説明図
【考案を実施するための形態】
【実施例】
【００１０】  本考案の一実施例を図面に基づいて詳細に説明する。
図２を参照する。１は円筒状のサイロ２の頂部（バグフィルター等の図示省略）の周壁に設けられたシャックルを取り付ける頂部左右ピースで、サイロ２の最大径の直径近辺に設けられており、これらピース１・１には、長さ６．５ｍの鋼製のサイドチェーン３１，３１がシャックルを介して取りつけられる。サイドチェーン３１・３１に長さ４．５ｍの鋼製の繋ぎワイヤー３２が繋がれクレーン懸けの頂部吊りチェーン３が構成される。【００１１】  この頂部吊りチェーン３は工事現場で水平状態から起こして直立させるとき、サイロ２を倒して水平にするときに使用する。直立された後は、繋ぎのワイヤー３２が取り外され、長さ６．５ｍの両側のチェーン３１，３１はサイロの頂部に取り付けられたままでサイロ２の側壁に垂下った状態にある。倒すときは頂部のピース１，１から吊下がった両サイドチェーン３１，３１に地上から繋ぎのワイヤー３２を取り付けてクレーン懸けして。サイロの外形はこの実施例では直径約２．５ｍ、長さ８ｍの円筒状の形状である。吊り上げ・降ろしの作業を行う。
これらサイドチェーン３１・３１はサイロ２が水平状態にあるときは頂部内に収納される。【００１２】  図３参照する。４はサイロ２の頂部の左右中心位置に上下にそれぞれ設けられた頂部上下ピースで、このピース４・４にサイロ２を直立させたときの転倒防止用に使用される長さ９ｍの鋼製ワイヤー（図示省略）が取り付けられる。このワイヤーの他端はサイロ２の下に敷かれている鉄板（図示省略）に嵌着される。地震、台風があったとき、転倒防止が望まれるとき使用すれば効果がある。これら転倒防止用ワイヤーはサイロ２が水平状態にあるときはサイロの頂部内に収納される。【００１３】  図３を参照して、サイロ２が水平の状態で各符号を説明する。５は円筒状の長さ８ｍのサイロ２の本体の頂部から１．５ｍ離れた位置で最大径の直径の上側近辺に設けられ上側ピースで左右両側に対称に設けられる。頂部の安定台６から約１．５ｍの高さに設けられる。７はサイロ２の本体の底部から１．５ｍ離れた位置で最大径の直径の上側近辺に設けられ下側ピースで左右両側に対称に設けられる。底部の安定台８から約１．５ｍの高さに設けられる。上側ピース５・５には長さ４．５ｍの上吊りワイヤー９が地上から取り付けられる。下側ピース７・７には長さ４．５ｍの下吊りワイヤー１０が地上から取り付けられる。上吊りワイヤー９と下吊りワイヤー１０はワイヤー懸け作業が終了するとサイロ２から取り外される。【００１４】    図２から図５を参照する。工事現場に到着した後、運搬車に水平状態に置かれているサイロ２を運搬車からクレーンを使って地上に降ろす場合を説明する。【００１５】  図２を参照。サイロ２の上側ピース５・５、下側ピース８・８に上吊りワイヤー９と下ワイヤー１０が取り付けられている。これをクレーンのフックにワイヤー懸けする。上吊りワイヤー９、下ワイヤー１０は安定台６，８から約１．５ｍの高さにあるから、上吊りワイヤー９、下ワイヤー１０は地上から容易に取り付けられる。運搬車に積まれた状態では、上吊りワイヤー９、下ワイヤー１０はサイロ２のピース５，８に取り付けられている。
サイロ２が水平状態のときは、サイドチェーン３１・３１はサイロ２の頂部にあるピース１・１に取り付けられたままで頂部内に収納されている。繋ぎワイヤー３２は取り外されている。【００１６】  サイロ２の上側ピース５・５、下側ピース８・８にそれぞれ取り付けられた状態の上吊りワイヤー９と下吊りワイヤー１０をクレーンのフックに懸け水平状態に保ちながらサイロ２を運搬車から地上に降ろす。次に上吊りワイヤー９を上側ピース５・５から取り外す。【００１７】  地上に置かれたサイロ２を起こしながら直立させる作業を説明する。（図２、図４）参照。下吊りワイヤー１０は取り付けたままである。サイロ頂部内に収納されている両サイドチェーンの３１，３１を取り出し、これらに繋ぎワイヤー３２を取り付け頂部吊りチェーン３とする。頂部内に収納されている９ｍの２本の転倒防止用ワイヤーを外部に取り出す。【００１８】  サイロ２を起こして直立させるときは、クレーンのフックを前記頂部吊りチェーン３と下吊りワイヤー１０とに懸ける。頂部吊りチェーン３のフックを巻き上げ、徐々にサイロ２を起こしつつ、また下吊りワイヤー１０も引き上げて起こしつつ、直立状態にして地切りの状態にして安定を確認した後、工事現場に水平に敷かれた鉄板（図示省略）上に直立した状態で降ろされる。前記の転倒防止用ワイヤーは、サイロ２が直立された状態のときサイロ２の側壁に垂れ下がる。【００１９】  頂部吊りチェーン３と下吊りワイヤー１０とがフックから外され、頂部吊りチェーン３から繋ぎワイヤー３２は取り外され、下吊りワイヤー１３は、下側ピース８・８から取り外される。長さ６．５ｍの両側のサイドチェーン３１，３１はサイロの頂部に取り付けられたままでサイロ２の側壁に垂れ下る。【００２０】  前記２本の転倒防止用ワイヤーは、サイロ２の下に敷いた鉄板に取り付ける。前記２本のサイロ２の側壁に垂れ下がったサイドチェーン３１・３１に転倒防止用繋ぎワイヤー（図示省略）を取り付け前記鉄板に取り付け固定しても良い。これによってサイロ２は４方向で転倒防止支持されることになる。台風、地震が起きたとき安定度は向上する。【００２１】  サイロ２を倒す時は、上記と逆に、サイドチェーン３１，３１に繋ぎワイヤー３２を取り付け、頂部吊りチェーン３とする。下吊りワイヤー１３が下側ピース７・７に取り付けられる。
頂部吊りチェーン３と下吊りワイヤー１３にクレーンのフックを懸ける。頂部吊りチェーン３を垂直に持ち上げ地切りの状態にして安定を確認したのち、下吊りワイヤー１０を引き上げつつ、水平状態に持ってゆく。水平状態になれば、頂部吊りチェーン３と下吊りワイヤー１０を降ろして平坦地に水平に置く。頂部吊りチェーン３から繋ぎチェーン３２を外しサイドチェーン３１・３１はサイロ２の頂部内に収納される。また転倒防止用ワイヤーは鉄板から外されサイロ２の頂部内に収納される。上吊りワイヤー９を上側ピース５・５に取り付けて運搬車への積載に備える。【００２２】  サイロ２の運搬車への積載作業は、前記の運搬車から降ろす作業と逆になる。
上吊りワイヤー９と下吊りワイヤー１０とをクレーンのフックに懸けて吊り上げ積載する。【００２３】（１）サイロ２の頂部には最大径の直径の近辺に頂部孔部１・１を設け、この孔部１，１に頂部のサイドチェーン３１，３１を取り付け、このサイドチェーン３１，３１に繋ぎワイヤー３２を取り付けて、頂部吊りチェーン３とし、サイロ２の直立、倒しをこの頂部吊りチェーン３で行い、直立、倒しを完了したらこの繋ぎワイヤー３２を取り外す。サイドチェーン３１・３１は頂部孔部１・１に取り付けたままで取り外しはしない。この構造のため、サイロ２を直立、倒すとき作業者がサイロ２の頂部に昇ってチェーンを外す・取り付ける必要がないため、作業者の転落を防止でき安全である。またチェーンの着脱作業が簡単容易で、かつ転倒防止ワイヤーとして使用できる。【００２４】（２）サイロ２の最大径の直径の近辺であって、頂部に近い上部箇所と底部に近い下部箇所の両側に上側ピース５・５と下側ピース７・７を設け、これらピース５・５，７・７に上吊りワイヤー９、下吊りワイヤー１３を地上からそれぞれ取り付け・取り外し可能とした。この構造のため、作業者が横状態にした２．５ｍの高さにあるサイロ２の頂部に登って左右に移動してワイヤー９，１３を取り付ける、取り外しの着脱作業の必要がないため、頂部から作業者の転落を防止でき安全である。またワイヤーの着脱作業が簡単容易である。【００２５】  頂部吊りチェーン３のサイドチェーン３１・３１に転倒防止ワイヤーを繋ぎたして転倒防止用に利用すれば、台風、地震のときにサイロの安定度がます効果がある。
【産業状の利用可能性】
【００２６】  上記本考案の一実施例として粉体としてセメントで説明したが、ポータブルサイロにおいて、クレーンのフックへのワイヤー等の懸け作業を地上から行うことができるのでサイロを倒すとき、直立させるときのワイヤー等の作業のとき、サイロの高所に作業者が昇る必要がないので転落防止でき安全である。
フライアッシュ、石灰粉、無水石膏等の粉体の貯蔵・排出する分野で適用可能である。
【符号の説明】
【００２７】２‥‥‥‥‥‥サイロ
３‥‥‥‥‥‥頂部吊りチェーン
５，７‥‥‥‥上側、下側ピース
９，１０‥‥‥吊りワイヤー、下吊りワイヤー
【図１】
0003176251.tif 000003
【図３】
0003176251.tif 000004
【図２】
0003176251.tif 000005
【図４】
0003176251.tif 000006
【図５】
0003176251.tif 000007